(57)【特許請求の範囲】
【請求項１】
使用者が携帯して使用する使用者端末の電源制御システムであって、
前記使用者端末と、前記使用者を監視する監視者が使用する監視者端末とを具備し、
前記使用者端末は、
電力を供給する電源部と、
前記電源部と接続されて前記使用者端末の主要な機能を発揮する機能部と、
前記電源部と前記機能部との間に配置され、前記電源部から前記機能部への前記電力の供給を遮断可能な電力供給切替部と、
を具備し、
前記電源制御システムは、
所定のエリアに関するエリア情報を設定するエリア情報設定部と、
前記使用者端末の位置情報を取得する位置情報取得部と、
前記エリア情報設定部に設定された前記エリア情報、及び前記位置情報取得部で取得された前記位置情報に基づいて、前記使用者端末が前記エリア内に入っている又は前記使用者端末が前記エリア外へ出ていると判断するエリア出入判断部と、
前記エリア出入判断部により、前記使用者端末が前記エリア内に入っていると判断されると、前記電源部から前記機能部への前記電力の供給が遮断されるように前記電力供給切替部を制御し、前記使用者端末が前記エリア外へ出ていると判断されると、前記電源部から前記機能部へ前記電力が供給されるように前記電力供給切替部を制御する電力供給制御部と、
地図情報を格納する地図情報部と、を具備し、
前記地図情報には、所定の施設及び当該施設が有するエリア範囲に関する情報が含まれ、
前記エリア情報設定部は、
前記監視者端末に備えられ、
前記地図情報部に格納された前記地図情報に基づいて、前記エリアを前記施設が有するエリア範囲とする前記エリア情報を、前記使用者端末によって変更できないように設定する、
電源制御システム。
【請求項２】
前記エリア出入判断部は、
前記エリア情報と前記位置情報とを比較して、前記使用者端末が前記エリア内にあるかどうかを検知し、
前記使用者端末が前記エリア内にあると検知され、その検知から所定期間経過後の検知において前記使用者端末が前記エリア内にあると検知された場合、前記使用者端末が前記エリア内に入っていると判断し、
前記使用者端末が前記エリア外にあると検知され、その検知から所定期間経過後の検知において前記使用者端末が前記エリア外にあると検知された場合、前記使用者端末が前記エリア外へ出ていると判断する、
請求項１に記載の電源制御システム。
【請求項３】
前記監視者端末は、入力操作されることにより前記エリア情報設定部で前記エリア情報が設定される入力部を有する、
請求項１又は請求項２に記載の電源制御システム。
【請求項４】
前記監視者端末は、前記電源部から前記機能部への前記電力の供給状態を報知可能な電力供給状態報知部を有し、
前記電力の供給状態を判断する電力供給状態判断部と、
前記電力供給状態報知部に、前記電力供給状態判断部により判断された前記電力の供給状態を報知させる電力供給状態報知制御部と、を具備する、
請求項１から請求項３までのいずれか一項に記載の電源制御システム。
【請求項５】
前記位置情報取得部及び前記電力供給制御部は、前記電力供給切替部を介さずに前記電源部に直接接続される、
請求項１から請求項４までのいずれか一項に記載の電源制御システム。
【発明の詳細な説明】
【技術分野】
【０００１】
本発明は、使用者が携帯して使用する使用者端末の電源制御システムの技術に関する。
【背景技術】
【０００２】
従来、使用者が携帯して使用する使用者端末の電源制御システムの技術は公知となっている。例えば、特許文献１に記載の如くである。
【０００３】
特許文献１には、監視者が使用する監視者端末と、監視対象者（被監視者）が携帯して使用する監視対象者端末とを具備し、ＧＰＳセンサにより検出された監視対象者端末の現在位置と、設定された監視エリアとを比較して、異常と判断された場合に、監視者端末に対して緊急メールが送信されるシステムが開示されている。特許文献１に記載のシステムにおいて、監視対象者端末の電源がＯＦＦ操作されると、表示部にパスワードの入力画面が表示される。入力されたパスワードが有効である場合には、監視対象者端末の電源はＯＦＦされるように制御される。
【０００４】
一方、前記監視対象者端末のような携帯端末は、その利用が制限される制限エリアがある。例えば、小中学校などでは、原則として携帯端末の持ち込みは禁止されているが、学校内にいるときは電源を切ることを条件に一部の生徒には持ち込みが許可されている。特許文献１に記載の監視システムにおいては、監視対象者端末の電源のＯＮ／ＯＦＦは監視対象者が管理するように構成されているため、監視対象者が電源をＯＦＦし忘れると、制限エリア（学校）内で電源が入った状態になってしまうことがある。反対に、監視対象者が電源を一度ＯＦＦした後ＯＮし忘れると、制限エリア外で必要時に通信ができないことがある。
【先行技術文献】
【特許文献】
【０００５】
【特許文献１】特開２００４−３５５２４３号公報
【発明の概要】
【発明が解決しようとする課題】
【０００６】
本発明は以上の如き状況に鑑みてなされたものであり、その解決しようとする課題は、所定のエリアへの出入状況により、使用者端末（監視対象者端末）の機能部への電力供給状態を自動で制御することができる電源制御システムを提供するものである。
【課題を解決するための手段】
【０００７】
本発明の解決しようとする課題は以上の如くであり、次にこの課題を解決するための手段を説明する。
【０００８】
即ち、請求項１においては、使用者が携帯して使用する使用者端末の電源制御システムであって、前記使用者端末と、前記使用者を監視する監視者が使用する監視者端末とを具備し、前記使用者端末は、電力を供給する電源部と、前記電源部と接続されて前記使用者端末の主要な機能を発揮する機能部と、前記電源部と前記機能部との間に配置され、前記電源部から前記機能部への前記電力の供給を遮断可能な電力供給切替部と、を具備し、前記電源制御システムは、所定のエリアに関するエリア情報を設定するエリア情報設定部と、前記使用者端末の位置情報を取得する位置情報取得部と、前記エリア情報設定部に設定された前記エリア情報、及び前記位置情報取得部で取得された前記位置情報に基づいて、前記使用者端末が前記エリア内に入っている又は前記使用者端末が前記エリア外へ出ていると判断するエリア出入判断部と、前記エリア出入判断部により、前記使用者端末が前記エリア内に入っていると判断されると、前記電源部から前記機能部への前記電力の供給が遮断されるように前記電力供給切替部を制御し、前記使用者端末が前記エリア外へ出ていると判断されると、前記電源部から前記機能部へ前記電力が供給されるように前記電力供給切替部を制御する電力供給制御部と、地図情報を格納する地図情報部と、を具備し、前記地図情報には、所定の施設及び当該施設が有するエリア範囲に関する情報が含まれ、前記エリア情報設定部は、前記監視者端末に備えられ、前記地図情報部に格納された前記地図情報に基づいて、前記エリアを前記施設が有するエリア範囲とする前記エリア情報を、前記使用者端末によって変更できないように設定するものである。
【０００９】
請求項２においては、前記エリア出入判断部は、前記エリア情報と前記位置情報とを比較して、前記使用者端末が前記エリア内にあるかどうかを検知し、前記使用者端末が前記エリア内にあると検知され、その検知から所定期間経過後の検知において前記使用者端末が前記エリア内にあると検知された場合、前記使用者端末が前記エリア内に入っていると判断し、前記使用者端末が前記エリア外にあると検知され、その検知から所定期間経過後の検知において前記使用者端末が前記エリア外にあると検知された場合、前記使用者端末が前記エリア外へ出ていると判断するものである。
【００１１】
請求項３においては、前記監視者端末は、入力操作されることにより前記エリア情報設定部で前記エリア情報が設定される入力部を有するものである。
【００１２】
請求項４においては、前記監視者端末は、前記電源部から前記機能部への前記電力の供給状態を報知可能な電力供給状態報知部を有し、前記電力の供給状態を判断する電力供給状態判断部と、前記電力供給状態報知部に、前記電力供給状態判断部により判断された前記電力の供給状態を報知させる電力供給状態報知制御部と、を具備するものである。
【００１３】
請求項５においては、前記位置情報取得部及び前記電力供給制御部は、前記電力供給切替部を介さずに前記電源部に直接接続されるものである。
【発明の効果】
【００１４】
本発明の効果として、以下に示すような効果を奏する。
【００１５】
請求項１においては、所定のエリアへの出入状況により、機能部への電力供給状態を自動で制御することができる。また、エリア情報の設定を容易に行うことができる。
【００１６】
請求項２においては、機能部への電力供給状態を適切に切り替えることができる。
【００１８】
請求項３においては、エリア情報の設定を監視者が行うことができる。
【００１９】
請求項４においては、監視者は、機能部への電力供給状態を確認することができる。
【００２０】
請求項５においては、常時、機能部への電力供給状態を制御可能な状態とすることができる。
【図面の簡単な説明】
【００２１】
【図１】本発明の第一実施形態に係る電源制御システムの構成を示す図。
【図２】本発明の第一実施形態に係る電源制御システムのフローチャート。
【図３】本発明の第二実施形態に係る電源制御システムのフローチャート。
【図４】本発明の第三実施形態に係る電源制御システムの構成を示す図。
【発明を実施するための形態】
【００２２】
まず、図１を用いて、電源制御システム１００の構成の概要について説明する。
【００２３】
電源制御システム１００は、端末を携帯する使用者が、監視者により定められたエリア（所定のエリア）内に入っているかエリア外へ出ているかによって、前記端末の電源を自動でＯＮ／ＯＦＦさせる制御を行うものである。電源制御システム１００において、使用者は、所定のエリアへの出入を監視される側であり、例えば子供である。監視者は、所定のエリアへ使用者が出入するのを監視する側であり、例えば親である。
【００２４】
電源制御システム１００は、使用者端末１、監視者端末２及びサーバー３を具備する。
【００２５】
使用者端末１は、使用者が携帯して使用する端末である。使用者端末１としては、データ（情報）を送受信可能な端末が用いられ、例えばパーソナルコンピュータや高機能携帯電話端末が用いられる。使用者端末１には、電源部１Ａ、機能部１Ｂ及び電力供給切替部１Ｃが備えられる。
【００２６】
電源部１Ａは、使用者端末１の各部へ電力を供給するものである。電源部１Ａは、例えば蓄電池であり、外部電源から電力が蓄えられる。
【００２７】
機能部１Ｂは、使用者端末１の主要な機能を発揮するものである。機能部１Ｂは、後述する制御部１０以外の部分であり、例えば、通話機能やメール機能を有している。機能部１Ｂは、後述する電力供給切替部１Ｃを介して、電源部１Ａと接続される。
【００２８】
電力供給切替部１Ｃは、電源部１Ａから機能部１Ｂへの電力の供給を遮断可能に形成されるものである。電力供給切替部１Ｃは、電源部１Ａと機能部１Ｂとの間に配置される。電力供給切替部１Ｃは、例えばスイッチであり、ＯＮ／ＯＦＦ動作可能に形成される。電力供給切替部１ＣがＯＮ動作すると、電源部１Ａから機能部１Ｂへ電力が供給される。電力供給切替部１ＣがＯＦＦ動作すると、電源部１Ａから機能部１Ｂへの電力の供給は遮断される。つまり、電力供給切替部１Ｃは、電源部１Ａから機能部１Ｂへ電力が供給される状態と、電源部１Ａから機能部１Ｂへの電力の供給が遮断される状態とを切り替えることができる。
【００２９】
使用者端末１は、使用者端末１の制御を行う制御部１０を具備する。制御部１０は、位置情報取得部１１、電力供給制御部１２及び送受信部１３を具備する。
【００３０】
位置情報取得部１１は、使用者端末１の位置情報を取得するものである。位置情報取得部１１は、ＧＰＳ（Ｇｌｏｂａｌ  Ｐｏｓｉｔｉｏｎｉｎｇ  Ｓｙｓｔｅｍ）機能などの位置情報取得機能を有し、これにより使用者端末１の現在の位置情報を定期的に取得する。ひいては、位置情報取得部１１は、使用者端末１を携帯している使用者の現在の位置情報を取得できる。
【００３１】
電力供給制御部１２は、電力供給切替部１Ｃの動作（ＯＮ動作／ＯＦＦ動作）を制御するものである。電力供給制御部１２は、電力供給切替部１Ｃの動作を制御することにより、電源部１Ａから機能部１Ｂへの電力の供給状態を切り替える。このように、電力供給制御部１２は、電力供給切替部１Ｃの動作を制御するので、結果として、電源部１Ａから機能部１Ｂへ電力が供給されているか前記電力の供給が遮断されているかを判断することができる。
【００３２】
電力供給制御部１２は、電力供給切替部１Ｃの動作（電力の供給状態の切り替え）の制御を行ったとき、電力供給状態を示す電力供給情報（電力供給遮断情報及び電力供給遮断解除情報）を生成する。
【００３３】
送受信部１３は、後述するサーバー３とデータを送受信するものである。
【００３４】
監視者端末２は、監視者が使用する端末である。監視者端末２としては、データを送受信可能な端末が用いられ、例えばパーソナルコンピュータや高機能携帯電話端末が用いられる。監視者端末２には、表示部２Ａ及び入力部２Ｂが備えられる。表示部２Ａは、監視者に伝えるための情報や、予め記憶された画面を表示する部分である。表示部２Ａとしては、例えば液晶ディスプレイが用いられる。入力部２Ｂは、監視者が操作を行う部分である。入力部２Ｂとしては、例えばキーボードやタッチパネルが用いられる。監視者が入力部２Ｂを操作することにより、監視者端末２にデータが入力される。
【００３５】
監視者端末２は、監視者端末２の制御を行う制御部２０を具備する。制御部２０は、エリア情報設定部２１、表示制御部２２及び送受信部２３を具備する。
【００３６】
エリア情報設定部２１は、所定のエリアに関するエリア情報を設定するものである。所定のエリアは、例えば、使用者端末１の機能部１Ｂへ電力が供給された状態で使用者が中へ入ることを禁止される区域である。所定のエリアとしては、例えば学校が挙げられる。所定のエリアに関するエリア情報は、監視者端末２の入力部２Ｂが操作されることにより設定される。
【００３７】
表示制御部２２は、監視者に伝えるための情報や、予め記憶された画面を表示部２Ａに表示させる制御を行うものである。表示制御部２２は、例えば、電力供給制御部１２により生成された電力供給情報を、表示部２Ａに表示させる制御を行うことができる。
【００３８】
送受信部２３は、後述するサーバー３とデータを送受信するものである。
【００３９】
サーバー３は、使用者端末１及び監視者端末２とデータを送受信可能に構成されるものである。サーバー３は、サーバー３の制御を行う制御部３０を具備する。制御部３０は、位置情報蓄積部３１、エリア情報格納部３２、エリア出入判断部３３及び送受信部３４を具備する。
【００４０】
位置情報蓄積部３１は、使用者端末１の位置情報取得部１１で取得された、使用者端末１の位置情報の履歴を蓄積するものである。ここで、位置情報の履歴とは、位置情報取得部１１で取得された、使用者端末１の過去から現在までの位置情報のことである。位置情報蓄積部３１は、現在を含むある一定期間の使用者端末１の位置情報の履歴を蓄積する。
【００４１】
エリア情報格納部３２は、監視者端末２のエリア情報設定部２１に設定されたエリア情報を格納するものである。
【００４２】
エリア出入判断部３３は、所定のエリア内に使用者端末１が入っているかどうか、又は所定のエリア外へ使用者端末１が出ているかどうかを判断するものである。この判断は、エリア情報設定部２１に設定されたエリア情報、及び位置情報取得部１１で取得された位置情報に基づいて行われる。具体的には、エリア出入判断部３３は、エリア情報設定部２１に設定されたエリア情報と、位置情報取得部１１で取得された使用者端末１の現在の位置情報とを比較して、使用者端末１の現在の位置と所定のエリアとが重複する場合に、所定のエリア内に使用者端末１が入っていると判断する。一方、使用者端末１の現在の位置と所定のエリアとが重複しない場合には、エリア出入判断部３３は、所定のエリア外へ使用者端末１が出ていると判断する。
【００４３】
また、エリア出入判断部３３は、所定のエリア内への使用者の出入状況を示すエリア出入情報（エリア進入情報及びエリア退出情報）を生成する。
【００４４】
送受信部３４は、使用者端末１及び監視者端末２とデータを送受信するものである。
【００４５】
以下、図１及び図２を参照して、電源制御システム１００による制御の流れを説明する。
【００４６】
監視者（親）が、監視者端末２により、電源制御システム１００を起動させる（ステップＳ１０）。
【００４７】
電源制御システム１００が起動すると、表示制御部２２の制御により、監視者端末２の表示部２Ａに、予め監視者端末２に記憶されたエリア情報の設定画面が表示される。監視者は、入力部２Ｂを操作して、所望のエリアを入力する。
【００４８】
エリアの入力は、住所や建物名、地理情報などを用いて行われる。住所や建物名、地理情報などが入力されると、次にエリアの範囲指定を行う。監視者は、設定画面に、例えば「半径１０ｍ」、「半径１００ｍ」などのように所望の半径を入力する。これにより、入力された住所や建物のある点を中心とした、入力された半径を有する円が決定され、この円の内側の範囲がエリアとして定められる。エリア情報設定部２１においては、このエリアに関するエリア情報が設定される（ステップＳ２０）。エリア情報設定部２１に設定されたエリア情報は、送受信部２３を介して、サーバー３の送受信部３４に送信される。送受信部３４で受信されたエリア情報は、エリア情報格納部３２に格納される（ステップＳ３０）。
【００４９】
このように電源制御システム１００においては、エリア情報を監視者が設定することができる。そして、使用者側では監視者により設定されたエリア情報を変更できないため、使用者によりエリア情報が変更されてしまうのを防止することができる。
【００５０】
使用者端末１の位置情報取得部１１は、使用者端末１の位置情報を定期的に取得している。取得された位置情報は、送受信部１３を介して、サーバー３の送受信部３４に送信される（ステップＳ４０）。送受信部３４で受信された位置情報は、位置情報蓄積部３１に蓄積される（ステップＳ５０）。
【００５１】
エリア出入判断部３３は、エリア情報格納部３２に格納された（エリア情報設定部２１に設定された）エリア情報、及び位置情報蓄積部３１に格納された（位置情報取得部１１で取得された）使用者端末１の現在の位置情報に基づいて、所定のエリア内に使用者端末１が入ったか（進入したか）どうかを判断する（ステップＳ６０）。エリア出入判断部３３は、エリア情報設定部２１に設定されたエリア情報と、位置情報取得部１１で取得された使用者端末１の現在の位置情報とを比較して、使用者端末１の現在の位置と所定のエリアとが重複する場合に、所定のエリア内に使用者端末１が入ったと判断する（ステップＳ６０で「ＹＥＳ」）。
【００５２】
一方、使用者端末１の現在の位置と所定のエリアとが重複しない場合には、所定のエリア内に使用者端末１が未だ入っていない（所定のエリア外へ使用者端末１が出ている）と判断する（ステップＳ６０で「ＮＯ」）。
【００５３】
エリア出入判断部３３は、所定のエリア内に使用者端末１が入ったと判断した場合（ステップＳ６０で「ＹＥＳ」）、所定のエリア内に使用者が入った旨を示すエリア進入情報を生成する。エリア出入判断部３３で生成されたエリア進入情報は、送受信部３４を介して、使用者端末１の送受信部１３に送信される。
【００５４】
使用者端末１の電力供給制御部１２は、送受信部１３で受信されたエリア進入情報に基づいて、電力供給切替部１Ｃの制御を行う。具体的には、電力供給制御部１２は、エリア進入情報を受け取ると、電力供給切替部１ＣをＯＦＦ動作させる。電力供給切替部１ＣがＯＦＦ動作すると、電源部１Ａから機能部１Ｂへの電力の供給は遮断される（ステップＳ７０）。これにより、使用者は、使用者端末１の主要な機能（通話機能、メール機能などの機能部１Ｂの機能）を使用することができなくなる。
【００５５】
一方、エリア出入判断部３３により、所定のエリア内に使用者端末１が未だ入っていない（所定のエリア外へ使用者端末１が出ている）と判断された場合（ステップＳ６０で「ＮＯ」）、再びステップＳ４０に戻る。位置情報取得部１１により新たに取得された位置情報が、送受信部１３を介して、サーバー３の送受信部３４に送信される（ステップＳ４０）。エリア出入判断部３３は、エリア情報格納部３２に格納されたエリア情報、及び新たに取得された使用者端末１の現在の位置情報に基づいて、再び、所定のエリア内に使用者端末１が入っているかどうかを判断する（ステップＳ５０、ステップＳ６０）。
【００５６】
電力供給制御部１２は、電力供給切替部１ＣをＯＦＦ動作させると、電源部１Ａから機能部１Ｂへの電力の供給が遮断された旨を示す電力供給遮断情報を生成する。電力供給制御部１２で生成された電力供給遮断情報は、送受信部１３及び送受信部３４を介して、監視者端末２の送受信部２３に送信される。送受信部２３で受信された電力供給遮断情報は、表示制御部２２の制御により、監視者端末２の表示部２Ａに表示される（ステップＳ８０）。表示部２Ａには、例えば、「電源がＯＦＦされました」と表示される。
【００５７】
これにより、監視者は、所定のエリア内に使用者が入ったこと、及び電源部１Ａから機能部１Ｂへの電力の供給が遮断されたことを知ることができる。
【００５８】
電力供給制御部１２で生成された電力供給遮断情報は、送受信部１３及び送受信部３４を介して、サーバー３のエリア出入判断部３３にも送信される（ステップＳ９０）。これにより、エリア出入判断部３３は、現在の電力供給状態を把握することができる。
【００５９】
位置情報取得部１１は、位置情報を新たに取得する。新たに取得された位置情報は、送受信部１３を介して、サーバー３の送受信部３４に送信される（ステップＳ１００）。送受信部３４で受信された位置情報は、位置情報蓄積部３１に蓄積される（ステップＳ１１０）。
【００６０】
エリア出入判断部３３は、エリア情報格納部３２に格納された（エリア情報設定部２１に設定された）エリア情報、及び位置情報蓄積部３１に格納された（位置情報取得部１１で取得された）使用者端末１の現在の位置情報に基づいて、使用者が所定のエリア外へ出たか（退出したか）どうかを判断する（ステップＳ１２０）。エリア出入判断部３３は、エリア情報設定部２１に設定されたエリア情報と、位置情報取得部１１で取得された使用者端末１の現在の位置情報とを比較して、使用者端末１の現在の位置と所定のエリアとが重複しない場合に、所定のエリア外へ使用者端末１が出たと判断する（ステップＳ１２０で「ＹＥＳ」）。一方、使用者端末１の現在の位置と所定のエリアとが重複する場合には、所定のエリア内に使用者端末１が入ったままであると判断する（ステップＳ１２０で「ＮＯ」）。
【００６１】
エリア出入判断部３３は、所定のエリア外へ使用者端末１が出たと判断した場合（ステップＳ１２０で「ＹＥＳ」）、所定のエリア外へ使用者が出た旨を示すエリア退出情報を生成する。エリア出入判断部３３で生成されたエリア退出情報は、送受信部３４を介して、使用者端末１の送受信部１３に送信される。
【００６２】
電力供給制御部１２は、送受信部１３で受信されたエリア退出情報に基づいて、電力供給切替部１Ｃの制御を行う。具体的には、電力供給制御部１２は、エリア退出情報を受け取ると、電力供給切替部１ＣをＯＮ動作させる。電力供給切替部１ＣがＯＮ動作すると、電源部１Ａから機能部１Ｂへの電力の供給の遮断が解除され、電源部１Ａから機能部１Ｂへ電力が供給される（ステップＳ１３０）。これにより、使用者は、使用者端末１の主要な機能（通話機能、メール機能などの機能部１Ｂの機能）を使用することができるようになる。
【００６３】
一方、エリア出入判断部３３により、所定のエリア内に使用者端末１が入ったままであると判断された場合（ステップＳ１２０で「ＮＯ」）、再びステップＳ１００に戻る。位置情報取得部１１により新たに取得された位置情報が、送受信部１３を介して、サーバー３の送受信部３４に送信される（ステップＳ１００）。エリア出入判断部３３は、エリア情報格納部３２に格納されたエリア情報、及び新たに取得された使用者端末１の現在の位置情報に基づいて、再び、使用者が所定のエリア外へ出たかどうかを判断する（ステップＳ１１０、ステップＳ１２０）。
【００６４】
電力供給制御部１２は、その制御により電力供給切替部１ＣがＯＮ動作すると、電源部１Ａから機能部１Ｂへの電力の供給の遮断が解除された旨を示す電力供給遮断解除情報を生成する。電力供給制御部１２で生成された電力供給遮断解除情報は、送受信部１３及び送受信部３４を介して、監視者端末２の送受信部２３に送信される。送受信部２３で受信された電力供給遮断解除情報は、表示制御部２２の制御により、監視者端末２の表示部２Ａに表示される（ステップＳ１４０）。表示部２Ａには、例えば、「電源がＯＮされました」と表示される。
【００６５】
これにより、監視者は、所定のエリア外へ使用者が出たこと、及び電源部１Ａから機能部１Ｂへの電力の供給の遮断が解除されたことを知ることができる。よって、監視者は、使用者端末１と通話やメールなどが可能なタイミングを把握することができる。
【００６６】
監視者に使用者が所定のエリア外へ出たことが報知されると、監視者が、監視者端末２により電源制御システム１００を終了させる（ステップＳ１５０）。
【００６７】
このように、電源制御システム１００においては、電源部１Ａから機能部１Ｂへの電力の供給状態を自動で制御するので、使用者が自ら使用者端末１の電源のＯＮ／ＯＦＦ操作をする必要がない。また、使用者が、所定のエリア内に入る（学校へ到着した）ときに、エリア内（校内）で電源が入った状態になってしまうことを防止することができる。さらに、使用者が、所定のエリア外へ出る（下校する）ときに、エリア外（校外）で必要時に通信ができないということを防止することができる。
【００６８】
また、電源部１Ａから機能部１Ｂへの電力の供給状態を制御する制御部１０（位置情報取得部１１及び電力供給制御部１２）は、電力供給切替部１Ｃを介さずに直接電源部１Ａに接続されているため、機能部１Ｂに電力が供給されていないときでも、電源部１Ａから常に電力が供給されている。よって、常時、電源部１Ａから機能部１Ｂへの電力の供給状態を制御することができる。
【００６９】
以上の如く、本実施形態に係る電源制御システム１００は、使用者が携帯して使用する使用者端末１の電源制御システム１００であって、前記使用者端末１は、電力を供給する電源部１Ａと、前記電源部１Ａと接続されて前記使用者端末１の主要な機能を発揮する機能部１Ｂと、前記電源部１Ａと前記機能部１Ｂとの間に配置され、前記電源部１Ａから前記機能部１Ｂへの前記電力の供給を遮断可能な電力供給切替部１Ｃと、を具備し、前記電源制御システム１００は、所定のエリアに関するエリア情報を設定するエリア情報設定部２１と、前記使用者端末１の位置情報を取得する位置情報取得部１１と、前記エリア情報設定部２１に設定された前記エリア情報、及び前記位置情報取得部１１で取得された前記位置情報に基づいて、前記使用者端末１が前記エリア内に入っている又は前記使用者端末が前記エリア外へ出ていると判断するエリア出入判断部３３と、前記エリア出入判断部３３により、前記使用者端末１が前記エリア内に入っていると判断されると、前記電源部１Ａから前記機能部１Ｂへの前記電力の供給が遮断されるように前記電力供給切替部１Ｃを制御し、前記使用者端末１が前記エリア外へ出ていると判断されると、前記電源部１Ａから前記機能部１Ｂへ前記電力が供給されるように前記電力供給切替部１Ｃを制御する電力供給制御部１２と、を具備するものである。
このように構成することにより、所定のエリアへの出入状況により、機能部１Ｂへの電力供給状態を自動で制御することができる。
【００７０】
また、本実施形態に係る電源制御システム１００は、前記使用者を監視する監視者が使用する監視者端末２を具備し、前記監視者端末２は、入力操作されることにより前記エリア情報設定部２１で前記エリア情報が設定される入力部２Ｂを有するものである。
このように構成することにより、エリア情報の設定を監視者が行うことができる。
【００７１】
また、本実施形態に係る電源制御システム１００は、前記使用者を監視する監視者が使用する監視者端末２を具備し、前記監視者端末２は、前記電源部１Ａから前記機能部１Ｂへの前記電力の供給状態を報知可能な表示部２Ａ（電力供給状態報知部）を有し、前記電力の供給状態を判断する電力供給制御部１２（電力供給状態判断部）と、前記表示部２Ａに、前記電力供給制御部１２により判断された前記電力の供給状態を報知させる表示制御部２２（電力供給状態報知制御部）と、を具備するものである。
このように構成することにより、監視者は、機能部１Ｂへの電力供給状態を確認することができる。
【００７２】
また、本実施形態に係る電源制御システム１００において、前記位置情報取得部１１及び前記電力供給制御部１２は、前記電力供給切替部１Ｃを介さずに前記電源部１Ａに直接接続されるものである。
このように構成することにより、常時、機能部１Ｂへの電力供給状態を制御可能な状態とすることができる。
【００７３】
なお、本実施形態に係る電力供給制御部１２は、本発明に係る電力供給状態判断部の一形態である。
また、本実施形態に係る表示部２Ａは、本発明に係る電力供給状態報知部の一形態である。
また、本実施形態に係る表示制御部２２は、本発明に係る電力供給状態報知制御部の実施の一形態である。
【００７４】
以上、本発明の実施形態を説明したが、本発明は上記構成に限定されるものではなく、特許請求の範囲に記載された発明の範囲内で種々の変更が可能である。
【００７５】
例えば、本実施形態においては、制御部１０は使用者端末１に、制御部２０は監視者端末２に、制御部３０はサーバー３に具備されるものとしたが、本発明はこれに限定されるものではない。制御部１０・２０・３０の各構成要素は、本発明の効果を奏することができる限り、使用者端末１、監視者端末２及びサーバー３のいずれに具備されるものであってもよい。
【００７６】
また、本実施形態においては、位置情報取得部１１は、使用者端末１の現在の位置情報を定期的に取得するものとしたが、前記位置情報を継続的に、あるいは不定期的に取得するものであってもよい。
【００７７】
また、本実施形態においては、監視者端末２の表示部２Ａ（電力供給状態報知部）に電力供給情報を表示させることにより、電力供給状態を報知するものとしたが、本発明はこれに限定されるものではない。本発明に係る電力供給状態報知部は、例えば、音声やバイブレーションにより、監視者に報知するものであってもよい。すなわち、本発明に係る電力供給状態報知部は、音声出力手段、又はバイブレーション出力手段であってもよい。
【００７８】
また、本実施形態においては、エリア情報の入力及び設定は、監視者端末２で行うものとしたが、使用者端末１で行うようにしてもよい。この場合、監視者が使用者端末１を用いて、エリア情報の入力及び設定を行うこととなる。また、この場合、使用者がエリア情報を変更できないように、設定されたエリア情報にはパスワードをかけておくことが望ましい。
【００７９】
また、本実施形態においては、エリア出入判断部３３は、エリア情報設定部２１に設定されたエリア情報と、位置情報取得部１１で取得された使用者端末１の現在の位置情報とを比較して、使用者端末１の現在の位置と所定のエリアとが重複する場合に、所定のエリア内に使用者端末１が入っていると判断するものとしたが、本発明はこれに限定されるものではない。以下では、図１及び図３を参照して、本発明の第二実施形態に係る電源制御システム１００による制御の流れを説明する。
【００８０】
図３に示す第二実施形態に係る電源制御システム１００による制御の流れが、第一実施形態に係る電源制御システム１００による制御の流れ（図２参照）と異なる点は、エリア出入状況の判断に関するステップである。よって以下では、第一実施形態と異なるステップについてのみ説明する。なお、図３においては、ステップＳ１０からステップＳ３０、及びステップＳ１４０からステップＳ１５０を省略している。
【００８１】
サーバー３の位置情報蓄積部３１が使用者端末１の位置情報取得部１１から位置情報を取得するステップ（ステップＳ５０）までは、第一実施形態と同様である。
【００８２】
エリア出入判断部３３は、エリア情報設定部２１に設定されたエリア情報と、位置情報取得部１１で取得された使用者端末１の現在の位置情報とを比較して、所定のエリア内に使用者端末１があるかどうかを検知する（ステップＳ６１）。エリア出入判断部３３は、使用者端末１の現在の位置と所定のエリアとが重複する場合に、所定のエリア内に使用者端末１があることを検知する（ステップＳ６１で「ＹＥＳ」）。
【００８３】
一方、使用者端末１の現在の位置と所定のエリアとが重複しない場合には、所定のエリア内に使用者端末１が無いことを検知し（ステップＳ６１で「ＮＯ」）、再びステップＳ４０に戻る。
【００８４】
エリア出入判断部３３により、所定のエリア内に使用者端末１があることが検知される（ステップＳ６１で「ＹＥＳ」）と、位置情報取得部１１により新たに取得された位置情報（エリア内に使用者端末１があることが検知されてから所定時間経過後（例えば、５秒後）の位置情報）が、送受信部１３を介して、サーバー３の送受信部３４に送信される（ステップＳ６２）。送受信部３４で受信された新たな位置情報は、位置情報蓄積部３１に蓄積される（ステップＳ６３）。
【００８５】
エリア出入判断部３３は、使用者端末１が継続してエリア内にあるかどうかを確認するために、設定されたエリア情報と、位置情報蓄積部３１に蓄積された使用者端末１の前記所定時間経過後の位置情報とを比較して、所定のエリア内に使用者端末１があるかどうかを再び検知する（ステップＳ６４）。エリア出入判断部３３は、所定のエリア内に使用者端末１があることを検知した場合に、所定のエリア内に使用者端末１が入ったと判断する（ステップＳ６４で「ＹＥＳ」）。
【００８６】
一方、エリア出入判断部３３は、この検知において所定のエリア外に使用者端末１があることを検知した場合（ステップＳ６４で「ＮＯ」）には、エリア出入状況の判断は保留され、再びステップＳ４０に戻る。
【００８７】
エリア出入判断部３３により、所定のエリア内に使用者端末１が入ったと判断された場合（ステップＳ６４で「ＹＥＳ」）、第一実施形態と同様の制御により、電力供給切替部１ＣがＯＦＦ動作し、電源部１Ａから機能部１Ｂへの電力の供給は遮断される（ステップＳ７０）。これにより、使用者は、使用者端末１の主要な機能（通話機能、メール機能などの機能部１Ｂの機能）を使用することができなくなる。
【００８８】
ステップＳ８０からステップＳ１１０までは、第一実施形態と同様である。
【００８９】
エリア出入判断部３３は、エリア情報設定部２１に設定されたエリア情報と、位置情報取得部１１で取得された使用者端末１の現在の位置情報とを比較して、所定のエリア外に使用者端末１があるかどうかを検知する（ステップＳ１２１）。エリア出入判断部３３は、使用者端末１の現在の位置と所定のエリアとが重複しない場合に、所定のエリア外に使用者端末１にあることを検知する（ステップＳ１２１で「ＹＥＳ」）。
【００９０】
一方、使用者端末１の現在の位置と所定のエリアとが重複しない場合には、所定のエリア外に使用者端末１が無いこと（エリア内に使用者端末１があること）を検知し（ステップＳ１２１で「ＮＯ」）、再びステップＳ１００に戻る。
【００９１】
エリア出入判断部３３により所定のエリア外に使用者端末１があることが検知される（ステップＳ１２１で「ＹＥＳ」）と、位置情報取得部１１により新たに取得された位置情報（エリア外に使用者端末１があることが検知されてから所定時間経過後（例えば、５秒後）の位置情報）が、送受信部１３を介して、サーバー３の送受信部３４に送信される（ステップＳ１２２）。送受信部３４で受信された新たな位置情報は、位置情報蓄積部３１に蓄積される（ステップＳ１２３）。
【００９２】
エリア出入判断部３３は、使用者端末１が継続してエリア外にあるかどうかを確認するために、設定されたエリア情報と、位置情報蓄積部３１に蓄積された使用者端末１の前記所定時間経過後の位置情報とを比較して、所定のエリア外に使用者端末１があるかどうかを検知する（ステップＳ１２４）。エリア出入判断部３３は、所定のエリア外に使用者端末１があることを検知した場合に、所定のエリア外へ使用者端末１が出たと判断する（ステップＳ１２４で「ＹＥＳ」）。
【００９３】
一方、エリア出入判断部３３は、所定のエリア内に使用者端末１があることを検知した場合（ステップＳ１２４で「ＮＯ」）には、エリア出入状況の判断は保留され、再びステップＳ１００に戻る。
【００９４】
エリア出入判断部３３により、所定のエリア外へ使用者端末１が出たと判断された場合（ステップＳ１２４で「ＹＥＳ」）、第一実施形態と同様の制御により、電力供給切替部１ＣがＯＮ動作し、電源部１Ａから機能部１Ｂへの電力の供給の遮断が解除され、電源部１Ａから機能部１Ｂへ電力が供給される（ステップＳ１３０）。これにより、使用者は、使用者端末１の主要な機能（通話機能、メール機能などの機能部１Ｂの機能）を使用することができるようになる。
【００９５】
以降のステップは、第一実施形態と同様である。
【００９６】
所定のエリアに使用者が短時間で出たり入ったりしている場合においては、エリアの出入状況に合わせて電力供給状態を切り替えてもあまり意味はなく、直前の電力供給状態を維持しておくことが実情に沿っている。第二実施形態においては、エリア出入判断部３３は、使用者が所定の期間、継続してエリア内にいることを検知して初めて、使用者がエリア内に入ったと判断する。よって、使用者が一旦エリア内へ入り、その後エリアから出たり入ったりしている場合において、電力供給制御部１２は、電源部１Ａから機能部１Ｂへの電力の供給の遮断を解除することはなく、電力の供給は遮断されたままである。また、エリア出入判断部３３は、使用者が所定の期間、継続してエリア外にいることを検知して初めて、使用者がエリア外へ出たと判断する。よって、使用者が一旦エリア外へ出て、その後エリアに入ったり出たりしている場合において、電力供給制御部１２は、電源部１Ａから機能部１Ｂへの電力の供給を遮断することはなく、電力は供給されたままである。
【００９７】
以上の如く、第二実施形態において、前記エリア出入判断部３３は、前記エリア情報と前記位置情報とを比較して、前記使用者端末１が前記エリア内にあるかどうかを検知し、前記使用者端末１が前記エリア内にあると検知され、その検知から所定期間経過後の検知において前記使用者端末１が前記エリア内にあると検知された場合、前記使用者端末１が前記エリア内に入っていると判断し、前記使用者端末１が前記エリア外にあると検知され、その検知から所定期間経過後の検知において前記使用者端末１が前記エリア外にあると検知された場合、前記使用者端末１が前記エリア外へ出ていると判断するものである。
このように構成することにより、機能部１Ｂへの電力供給状態を適切に切り替えることができる。
【００９８】
以下では、図４を参照して、本発明の第三実施形態に係る電源制御システム２００の構成を説明する。
【００９９】
図４に示す第三実施形態に係る電源制御システム２００の構成が、第一実施形態に係る電源制御システム１００の構成（図１参照）と異なる点は、サーバー３の制御部３０がさらに地図情報部３５を具備する点である。よって以下では、電源制御システム２００の構成のうち第一実施形態に係る電源制御システム１００と同一の構成については、同一の符号を付して説明を省略する。
【０１００】
地図情報部３５は、地図情報を格納するものである。地図情報は、道路の情報や建物の情報などを含む。地図情報は、地図情報を提供する媒体から予めダウンロード等することで、地図情報部３５に格納される。
【０１０１】
次に、電源制御システム２００における、エリア情報を設定するステップ（ステップＳ２０）について説明する。
【０１０２】
電源制御システム２００が起動すると、表示制御部２２の制御により、監視者端末２の表示部２Ａに、予め監視者端末２に記憶されたエリア情報の設定画面が表示される。表示された設定画面には、地図情報部３５に格納された地図情報が反映されている。つまり、表示部２Ａには、地図が表示され、この地図からエリア情報を設定できるようになっている。
【０１０３】
監視者は、入力部２Ｂ（例えば、タッチパネル）を操作して、地図情報が反映された設定画面から、エリア情報として設定したい施設などを選択する（ステップＳ２０）。そうすると、エリア情報設定部２１に、選択された施設がエリア情報として設定される（ステップＳ３０）。
【０１０４】
このように構成されることにより、監視者は、エリア情報の設定を容易に行うことができる。また、監視者は、住所などがわからなくてもエリア情報を設定することができる。また、第一実施形態の如く、半径を入力してエリア情報を設定する場合、実際には学校をエリア情報として設定したい場合でも、学校以外の範囲もエリア情報として含んでしまうこととなる。一方、第二実施形態の如く、地図情報が反映された設定画面からエリア情報を設定することにより、学校の敷地自体をエリア情報として設定できる。
【０１０５】
以上の如く、第三実施形態に係る電源制御システム２００は、地図情報を格納する地図情報部３５を具備し、前記エリア情報設定部２１は、前記地図情報部３５に格納された前記地図情報に基づいて、前記エリア情報を設定するものである。
このように構成されることにより、エリア情報の設定を容易に行うことができる。
【符号の説明】
【０１０６】
１      使用者端末
１Ａ    電源部
１Ｂ    機能部
１Ｃ    電力供給切替部
２      監視者端末
２Ａ    表示部（電力供給状態報知部）
２Ｂ    入力部
３      サーバー
１１    位置情報取得部
１２    電力供給制御部（電力供給状態判断部）
２１    エリア情報設定部
２２    表示制御部（電力供給状態報知制御部）
３３    エリア出入判断部
３５    地図情報部
１００  電源制御システム
【図１】
0006675832.tif 000002
【図２】
0006675832.tif 000003
【図３】
0006675832.tif 000004
【図４】
0006675832.tif 000005